(57)【要約】【課題】  湿潤度が常に一定で、芝根に空気が十分にゆき渡り、移動や撤去も極めて簡単に行うことができ、しかも、最初の設置状態を長く維持することができるようにした芝生キットを提供すること。【解決手段】  下面に排水孔３３が設けられて上面を開放された箱状の内ケース３０内に、互いに絡みあった無数の略コイル状をなす合成樹脂糸などからなる芝根保護材２０を収容し、該芝保護材２０の上に天然芝１１を植えた植栽マット１２を配置して芝ブロック１０を形成し、この芝ブロック１０の複数個を平面上に並置した状態で箱枠状の外ケース４０で囲んだこと。【選択図】図１
0003117819.tif 000002
【実用新案登録請求の範囲】
【請求項１】
下面に排水孔が設けられて上面を開放された箱状の内ケース内に、互いに絡みあった無数の略コイル状をなす合成樹脂糸などからなる芝根保護材を収容し、該芝保護材の上に天然芝を植えた植栽マットを配置して芝ブロックを形成し、この芝ブロックの複数個を平面上に並置した状態で箱枠状の外ケースで囲んだことを特徴とするベランダ等に敷設される芝生キット。
【請求項２】
内ケース及び芝根保護材がポリプロピレン樹脂などの合成樹脂材からなる請求項１に記載の芝生キット。
【請求項３】
外ケースが、一対の左右側面材と一対の前後面材により組み立て式に形成された請求項１又は請求項２に記載の芝生キット。
【考案の詳細な説明】
【技術分野】
【０００１】
本考案はベランダ等に敷設される芝生キットに関する。
【背景技術】
【０００２】
従来、軽石やシリコンポリマ樹脂等のベースに天然芝を植えた芝ブロックが広く使われている。これをベランダ等に敷く場合、防根シートを一番下に配置し、この防根シートの上に芝ブロックを並べている。
【０００３】
しかしながら、天然芝が生長して、根が張ってくると、隣接する芝ブロックの芝根が互いに絡み合い、芝ブロックの移動や撤去がとても面倒になる。また、このような芝生は、雨が降ると、２〜３日ぬかるんだ状態が続き、芝根が空気から遮断されてしまい、根腐れなどにより生長が阻害されるおそれもある。例えば、特許文献１では、根腐れ防止が考慮されているが、隣合う芝根の絡み合い防止は何ら対策されていない。
【特許文献１】実開平５−２４３４８号公報
【考案の開示】
【考案が解決しようとする課題】
【０００４】
本考案は、以上のような現状に鑑み、湿潤度が常に一定で、芝根に空気が十分にゆき渡り、移動や撤去も極めて簡単に行うことができ、しかも、最初の設置状態を長く維持することができるようにした芝生キットを提供することを、その課題とする。
【課題を解決するための手段】
【０００５】
上記課題を解決することを目的としてなされた本考案芝生キットの構成は、下面に排水孔が設けられて上面を開放された箱状の内ケース内に、互いに絡みあった無数の略コイル状をなす合成樹脂糸などからなる芝根保護材を収容し、該芝保護材の上に天然芝を植えた植栽マットを配置して芝ブロックを形成し、この芝ブロックの複数個を平面上に並置した状態で箱枠状の外ケースで囲んだことを特徴とするものである。
【考案の効果】
【０００６】
本考案芝生キットは、下面に排水孔が設けられて上面を開放された箱状の内ケース内に、互いに絡みあった無数の略コイル状をなす合成樹脂糸などからなる芝根保護材を収容し、該芝保護材の上に天然芝を植えた植栽マットを配置して芝ブロックを形成し、この芝ブロックの複数個を平面上に並置した状態で箱枠状の外ケースで囲んだ構成と採ったため、湿潤度が常に一定で、芝根に空気が十分にゆき渡り、移動や撤去も極めて簡単に行うことができ、しかも、最初の設置状態を長く維持することができる。
【０００７】
即ち、本考案芝生キットは、下面に排水孔を設けて、上面を開放した箱状の内ケースに収容された、互いに絡みあった無数のコイル状をなす合成樹脂糸からなる芝根保護材の上に天然芝を植えた植栽マットを配置した芝ブロックを備えるため、雨水などが芝根保護材を通過して、排水孔を通って内ケースの外部に排出され、芝根付近水がぬかるんだ状態にしならない、つまり、内ケース内部を常に適度な湿潤状態に維持することができる。また、空気が芝根保護材の間隙に入り込んで、芝根に十分な空気を供給するのでその生育を阻害せず、そして、芝根が内ケースがあることによりケース外部に張り出さないから、隣接する芝ブロックの芝根の絡み合わず、従って、１個の内ケースを単位として芝ブロックの移動や撤去をいつでも簡単に行うことができる。さらに、前記内ケースはそのケースを平面上に複数並置して収容する箱枠状の外ケースに収容されているため、ベランダや屋上等に敷設しても、芝ブロックが勝手に動くことがなく、長期にわたって最初の敷設状態を維持することができる。
【考案を実施するための最良の形態】
【０００８】
以下、添付図を参照して本考案芝生キットの実施の形態例について説明する。添付図において、図１は本考案芝生キットの設置形態の一例を示す斜視図、図２は図１の２−２線に沿う拡大断面図、図３は図１及び図２に示す本考案芝生キットの分解斜視図である。
【０００９】
この芝生キットは、一例として図１に示すように、複数の芝ブロック１０と一つの外ケース４０を備えている。
【００１０】
各芝ブロック１０は、図２の断面図に示すように、天然芝１１を植えた植栽マット１２、芝根保護材２０及び内ケース３０からなる。
【００１１】
植栽マット１２は、天然芝１１を密植したもので、図２に示すように、例えば土とピートモスなどの混合物からなる植栽マット１２の上に天然芝１１を配置し、その芝根が植栽マット１２の中（内部）に延びている。
【００１２】
これらの天然芝１１を植えた植栽マット１２は、そのまま芝根保護材２０の上に載せられている。芝根保護材２０は、互いに絡み合った、無数のコイル状又は綿状のポリプロピレン樹脂などの合成樹脂系の糸乃至ファイバー、或は、水不溶性の繊維材を絡め合った復元力の大きな材料から構成されているので、内部には空気を含む無数の隙間が形成されている。この芝根保護材２０は、天然芝１１を植えた植栽マット１２と一緒に、内ケース３０に収容されている。
【００１３】
内ケース３０は、四つの側壁３１及び一つの底壁３２からなる上面を開放された箱状のもので、例えばポリプロピレン樹脂などの合成樹脂製ライナー材などの板状組立物からなる。下面となる底壁３２の四隅付近にはこれを貫通して排水孔３３が設けられている。
【００１４】
一方、外ケース４０は、複数の内ケース３０を、ここでは横一列に並べて収容することができるサイズを有する。この外ケー４０は、図３に示すように、一対の前後面材４１と一対の左右側面材４２を備え、各対の面材４１と４２は、防水処理を施した天然木板や合板等からなり、各材４１，４２の端部組継ぎによって結合されている。４枚の面材４１，４２の組継ぎの突起４３は各面材４１と４２の一端側に、突起４３が嵌合する溝４４は各面材４１と４２の他端側に形成されている。
【００１５】
本考案芝生キットは、一例として、天然芝１１を植えた植栽マット１２と芝根保護材２０を収容した内ケース３０からなる芝ブロック１０を四個と、一対の前後面材４１及び一対の左右側面材４２による組立前の外ケース４０の構成部材を一単位として販売される。
【００１６】
ユーザは、ベランダ、屋上、庭等の敷設場所の広さに応じた数のキットを購入し、各キットの外ケース４０を組み立てる。組立は、例えば、前後面材４１の突起４３を左右側面材４２に溝４４に嵌め込んだあと、残る面材４２の自由端にある溝４４に残る側面材４１の突起４３を嵌め込み、平面形状が長方形をなす枠体をつくり上げることでなされる。このとき、必要に応じて、接着剤が接合面に塗布することがある。
【００１７】
上記のようにして組み立てた外ケース４０をベランダに必要個数並べ、天然芝１１を植えた植栽マット１２、芝根保護材２０及び内ケース３０からなる芝ブロック１０を、各外ケース４０の中に収容する。そうすることで、ベランダ全面に天然芝１１が画然と植栽された状態の芝生が形成される。植えられた芝生は、人が乗っても、天然芝１１を植えた植栽マット１２及び芝根保護材２０が沈んで人の荷重を支え、人が降りると、芝根保護材２０が復元して、元の状態に戻りそれを維持する。
【００１８】
このようにして設置した後の天然芝１１は、植栽マット１２の肥料によって生育する。芝が育つに連れて、芝根が張り出し、芝根保護材２０に向かって延びていく。芝根保護材２０は、互いに絡み合った弾力性あるコイル状の合成樹脂糸からなっているため、内部に無数の隙間を有し、しかも、堅い内ケース３０との間に隙間が形成されているので、伸びる芝根は芝根保護材２０の内部にある隙間に入り、更に芝根保護材２０と内ケース３０の底壁３２との間の隙間に延びる。これらの隙間には、多量の空気のみならず、水、植栽マット１２から落ち込んだ肥料等が溜まっており、従って、天然芝１１はこれらによって良く生育する。芝根は、いくら育っても内ケース３０の周壁や底に邪魔されて各内ケース３０の中のみで育ち、内ケース３０の外側に出ない。従って、各芝ブロック１０の芝根が隣接する芝ブロック１０の芝根と絡み合わないため、内ケース３０を単位にして動かすだけで、つまり、少ない労力で簡単に、芝ブロック１０の移動や撤去を行うことができる。
【００１９】
また、雨が降っても、その雨水は各芝ブロック１０における天然芝１１を植えた植栽マット１２を通って芝根保護材２０の中に流れ込むが、各芝ブロック１０の芝根保護材２０は前述のように多くの隙間をもつため、雨水は芝根保護材２０を透過し、内ケース３０の底壁３２に到達し、底壁３２にある排水孔３３から芝ブロック１０の外側に排出される。このため、内ケース３０の内部は、常に一定の湿潤度に維持され、芝に根腐れ等も発生せず、芝根が空気を十分に供給されることと相俟って、良く生育する。
【００２０】
なお、内ケース３０から排出された水は外ケース４０とベランダとの間からベランダ排水孔等を通じて排水されるが、必要に応じて、ユーザが外ケース４０の側面材４１又は端面材４２に水を排出する溝や孔を設けても良く、予めメーカーがこれらを設けておくなどしてもよい。
【産業上の利用可能性】
【００２１】
以上説明したように、本考案による芝生キットは、内ケース３０の底壁に水抜き用の排水孔３３があり、かつ、そのケース内の芝根保護材２０が間に空気を多量に含む、互いに絡み合った弾力性あるコイル状の合成樹脂糸があるため、雨水が芝根保護材２０内部に溜まらず、芝ブロック内部の湿潤度も一定に維持され、生育環境が整っている。しかも、植栽マット１２には生育に必要な空気及び肥料が含まれているため、天然芝１１を良く生育させることができる。しかも、各芝ブロック１０の芝根は、各内ケース３０によって邪魔され、隣接する芝ブロック１０の芝根と絡み合わないため、各芝ブロック１０の移動や撤去を極めて簡単に行うことができる。
【００２２】
さらに、各芝ブロック１０は、その内ケース３０が平面上に複数並置して収容する箱枠状の外ケース４０に収容されているため、ベランダや屋上等に敷設した後も、芝ブロック１０がズレたり勝手に動いたりしないので、長期間にわたって最初の敷設状態を維持することができる。
【００２３】
なお、以上説明した実施の形態例においては、芝根保護材２０及び内ケース３０には、同じポリプロピレン樹脂を採用して、リサイクルもおこなえるようにしているが、外ケース４０も同じ材質によって構成して、これも芝根保護材２０，内ケース３０と一緒にリサイクルすることができるようにしてもよい。
【００２４】
また、外ケース４０は、内ケース３０を四個直線配列することがｄできる大きさのものからなっているが、長さの異なる他の面部材４１と４２を提供できるようにしておき、様々な大きさの平面形状の外ケース４０を組み立てられるようにしておけば、使用者が好む平面形状、或は、ベランダや屋上等の設置場所の平面形状に合わせた平面形状のものを形成することができる。
【図面の簡単な説明】
【００２５】
【図１】本考案芝生キットの実施の形態の一例を示す斜視図。
【図２】図１の２−２線に沿う拡大断面図。
【図３】図１及び図２に示す本考案芝生キットの分解斜視図。
【符号の説明】
【００２６】
１０      芝ブロック
１１      天然芝
１２      植栽マット
２０      芝根保護材
３０      内ケース
３１      側壁
３２      底壁
３３      排水孔
４０      外ケース
４１      前後面材
４２      左右側面材
４３      突起
４４      溝
【図１】
0003117819.tif 000003
【図２】
0003117819.tif 000004
【図３】
0003117819.tif 000005